(57)【要約】【課題】被搬送物を搬送しているときに被搬送物の外観意匠を外に表すことができ、被搬送物の外観意匠を有効に利用できる提げ手付搬送具を提供する。【解決手段】本発明による提げ手付搬送具は、奥行方向１Ｄに延在された底支持部２と、底支持部２よりも上方であって底支持部２から幅方向１Ｗに離れた位置で、奥行方向１Ｄに延在された側支持部３と、底支持部２及び側支持部３の一端間を接続する第１接続部４と、底支持部２及び側支持部３の他端間を接続する第２接続部５と、第１及び第２接続部４，５に接続された提げ手６，７とを備え、底支持部２、側支持部３並びに第１及び第２接続部４，５の縁で囲まれる領域に開口が設けられている。【選択図】図１
2019069806.tif 000002
【特許請求の範囲】
【請求項１】
幅方向、高さ方向及び奥行方向を有する立体状であるか又は立体状とすることができる提げ手付搬送具であって、立体状であるとき、
前記奥行方向に延在された底支持部と、
前記底支持部よりも上方であって前記底支持部から前記幅方向に離れた位置で、前記奥行方向に延在された側支持部と、
前記底支持部及び前記側支持部の一端間を接続する第１接続部と、
前記底支持部及び前記側支持部の他端間を接続する第２接続部と、
前記第１及び第２接続部に接続された提げ手と
を備え、
前記底支持部、前記側支持部並びに前記第１及び第２接続部の縁で囲まれる領域に開口が設けられており、
前記底支持部と前記側支持部との間に被搬送物の幅中央を位置させつつ前記底支持部の上に前記被搬送物を乗せるとともに前記側支持部を前記被搬送物の側方に配置した状態で前記提げ手を引き上げたとき、前記被搬送物の高さ方向が鉛直方向に対して傾斜された状態で前記底支持部及び前記側支持部により前記被搬送物の底面及び側面が支持されるように構成されている、
提げ手付搬送具。
【請求項２】
前記第１及び第２接続部は、
前記高さ方向に沿って前記底支持部から直線状に延びる縦延在部と、
前記幅方向に沿って前記側支持部から直線状に延びる横延在部と、
前記底支持部の上方かつ前記側支持部の側方に位置し、前記縦延在部及び前記横延在部が交わる交差部と
により構成されている
請求項１記載の提げ手付搬送具。
【請求項３】
前記提げ手には、前記第１接続部に接続された第１提げ手と、前記第２接続部に接続された第２提げ手とが含まれており、
前記第１及び第２提げ手は、各接続部の前記縦延在部に接続された第１接続点と、各接続部の前記横延在部に接続された第２接続点とを有しており、
前記交差部から前記第１接続点までの距離と前記交差部から前記第２接続点までの距離との比率が、前記縦延在部の長さと前記横延在部の長さとの比率と等しくされている、
請求項２記載の提げ手付搬送具。
【請求項４】
前記底支持部、前記側支持部、前記第１接続部及び前記第２接続部は、前記底支持部における内面が前記側支持部における外面となるように捩じられた環状体からなる、請求項１から請求項３までのいずれか一項に記載の提げ手付搬送具。
【請求項５】
前記提げ手には、前記第１接続部に接続された第１提げ手と、前記第２接続部に接続された第２提げ手とが含まれており、
前記第１及び第２提げ手が互いに係合されている、
請求項１から請求項４までのいずれか一項に記載の提げ手付搬送具。
【請求項６】
前記側支持部と向かい合うように前記奥行方向に延在されるとともに、前記第１及び第２接続部間に接続された対向補助部をさらに備えていることを特徴とする請求項１から請求項５までのいずれか一項に記載の提げ手付搬送具。
【請求項７】
前記側支持部の下方で前記奥行方向に延在されるとともに、前記第１及び第２接続部間に接続された下部補助部をさらに備えていることを特徴とする請求項１から請求項６までのいずれか一項に記載の提げ手付搬送具。
【発明の詳細な説明】
【技術分野】
【０００１】
本発明は、被搬送物を搬送するための提げ手付搬送具に関する。
【背景技術】
【０００２】
従来用いられていたこの種の提げ手付搬送具としては、例えば下記の特許文献１等に示されている構成を挙げることができる。すなわち、従来構成は、上部開口を有する紙袋本体と、その紙袋本体に取り付けられた提げ手とを有し、紙袋本体内に被搬送物を収めるように構成されている。
【先行技術文献】
【特許文献】
【０００３】
【特許文献１】特開２０１５−４４５９４号公報
【発明の概要】
【発明が解決しようとする課題】
【０００４】
上記のような従来構成では、紙袋本体内に被搬送物を収めた状態で被搬送物を搬送するので、被搬送物を搬送しているときに被搬送物の外観意匠が隠れてしまい、被搬送物の外観意匠を有効に利用できない。
【０００５】
本発明は、上記のような課題を解決するためになされたものであり、その目的は、被搬送物を搬送しているときに被搬送物の外観意匠を外に表すことができ、被搬送物の外観意匠を有効に利用できる提げ手付搬送具を提供することである。
【課題を解決するための手段】
【０００６】
本発明に係る提げ手付搬送具は、幅方向、高さ方向及び奥行方向を有する立体状であるか又は立体状とすることができる提げ手付搬送具であって、立体状であるとき、奥行方向に延在された底支持部と、底支持部よりも上方であって底支持部から幅方向に離れた位置で、奥行方向に延在された側支持部と、底支持部及び側支持部の一端間を接続する第１接続部と、底支持部及び側支持部の他端間を接続する第２接続部と、第１及び第２接続部に接続された提げ手とを備え、底支持部、側支持部並びに第１及び第２接続部の縁で囲まれる領域に開口が設けられており、底支持部と側支持部との間に被搬送物の幅中央を位置させつつ底支持部の上に被搬送物を乗せるとともに側支持部を被搬送物の側方に配置した状態で提げ手を引き上げたとき、被搬送物の高さ方向が鉛直方向に対して傾斜された状態で底支持部及び側支持部により被搬送物の底面及び側面が支持されるように構成されている。
【発明の効果】
【０００７】
本発明の提げ手付搬送具によれば、底支持部、側支持部並びに第１及び第２接続部の縁で囲まれる領域に開口が設けられているので、被搬送物を搬送しているときに被搬送物の外観意匠が外に表れて、被搬送物の外観意匠を有効に利用できる。
【図面の簡単な説明】
【０００８】
【図１】本発明の実施の形態１による提げ手付搬送具１を示す斜視図である。
【図２】図１の提げ手付搬送具を示す正面図である。
【図３】図１の提げ手付搬送具を示す左側面図である。
【図４】図１の提げ手付搬送具を示す右側面図である。
【図５】図１の提げ手付搬送具を示す平面図である。
【図６】図１の提げ手付搬送具を示す底面図である。
【図７】図１の提げ手付搬送具の第１使用態様を示す斜視図である。
【図８】図１の提げ手付搬送具の第２使用態様を示す斜視図である。
【図９】図１の提げ手付搬送具の第３使用態様を示す斜視図である。
【図１０】本発明の実施の形態２による提げ手付搬送具を示す斜視図である。
【図１１】本発明の実施の形態３による提げ手付搬送具を示す斜視図である。
【発明を実施するための形態】
【０００９】
以下、本発明を実施するための形態について、図面を参照して説明する。
実施の形態１．
図１は本発明の実施の形態１による提げ手付搬送具１を示す斜視図であり、図２は図１の提げ手付搬送具１を示す正面図であり、図３は図１の提げ手付搬送具１を示す左側面図であり、図４は図１の提げ手付搬送具１を示す右側面図であり、図５は図１の提げ手付搬送具１を示す平面図であり、図６は図１の提げ手付搬送具１を示す底面図である。提げ手付搬送具１の背面は、図１に示す提げ手付搬送具を示す正面と対称に表れる。
【００１０】
図１〜図６に示す提げ手付搬送具１は、幅方向１Ｗ、高さ方向１Ｈ及び奥行方向１Ｄを有する立体状の部材である。これら幅方向１Ｗ、高さ方向１Ｈ及び奥行方向１Ｄは互いに直交する方向である。以下詳しく説明する提げ手付搬送具１の各部は、例えば紙、ビニール又は革等の柔らかい素材、又は例えば金属、硬質プラスチック又は木材等の硬い素材によって構成されている。提げ手付搬送具１の各部を柔らかい素材により構成することで、提げ手付搬送具１を折り畳み可能に構成できる。すなわち、提げ手付搬送具１は、非使用時には折り畳まれており、使用時に立体状とすることができる部材であってもよい。
【００１１】
提げ手付搬送具１は、底支持部２、側支持部３、第１接続部４、第２接続部５、第１提げ手６及び第２提げ手７を有している。以下説明するこれら底支持部２、側支持部３、第１接続部４、第２接続部５、第１提げ手６及び第２提げ手７の状態は、提げ手付搬送具１が立体状とされているときの状態である。
【００１２】
底支持部２は、提げ手付搬送具１の下部で奥行方向１Ｄに延在された部分である。本実施の形態の底支持部２は、奥行方向１Ｄ及び幅方向１Ｗに広がる帯状体とされている。
【００１３】
側支持部３は、底支持部２よりも上方であって底支持部２から幅方向１Ｗに離れた位置で、奥行方向１Ｄに延在された部分である。本実施の形態の側支持部３は、奥行方向１Ｄ及び高さ方向１Ｈに広がる帯状体とされている。
【００１４】
第１接続部４は、底支持部２及び側支持部３の一端２ａ，３ａ間を接続する部分である。同様に、第２接続部５は、底支持部２及び側支持部３の他端２ｂ，３ｂ間を接続する部分である。本実施の形態の第１及び第２第１接続部４，５は、幅方向１Ｗ及び高さ方向１Ｈに広がる帯状体とされている。
【００１５】
実施の形態の第１及び第２接続部４，５は、全体としてＬ字状の外形を有するように構成されている。すなわち、第１及び第２接続部４，５は、高さ方向１Ｈに沿って底支持部２から直線状に延びる縦延在部４０，５０と、幅方向１Ｗに沿って側支持部３から直線状に延びる横延在部４１，５１と、底支持部２の上方かつ側支持部３の側方に位置しこれら縦延在部４０，５０及び横延在部４１，５１が交わる交差部４２，５２とにより構成されている。
【００１６】
本実施の形態の提げ手付搬送具１では、縦延在部４０，５０の長さが横延在部４１，５１の長さよりも長くされている。これは、本実施の形態の提げ手付搬送具１が縦長の直方体状の被搬送物９（図７参照）を搬送するために特に適合されているためである。
【００１７】
これら底支持部２、側支持部３、第１接続部４及び第２接続部５は、底支持部２における内面２ｃが側支持部３における外面３ｃとなるように捩じられた環状体により構成されている。環状体は、第１及び第２接続部４，５の交差部４２，５２において捩じられている。
【００１８】
図２に特に示すように、底支持部２、側支持部３、第１接続部４及び第２接続部５の縁で囲まれる領域には開口８が設けられている。図２に示すように提げ手付搬送具１を正面から見た時、開口８は、提げ手付搬送具１の左下部に広く表れている。
【００１９】
第１提げ手６は、第１接続部４に接続された紐状部材である。同様に、第２提げ手７は、第２接続部５に接続された紐状部材である。これら第１及び第２提げ手６，７は、各接続部４，５の縦延在部４０，５０に接続された第１接続点６１，７１と、各接続部４，５の横延在部４１，５１に接続された第２接続点６２，７２とを有している。第２提げ手７の第１及び第２接続点７１，７２は図３等に特に表れている。
【００２０】
図２に特に示すように、交差部４２，５２から各提げ手６，７の第１接続点６１，７１までの距離を第１距離Ｌ１と称し、交差部４２，５２から各提げ手６，７の第２接続点６２，７２までの距離を第２距離Ｌ２と称する。本実施の形態では、第１距離Ｌ１と第２距離Ｌ２との比率は３：２とされている。これら第１距離Ｌ１と第２距離Ｌ２との比率は、各接続部４，５の縦延在部４０，５０の長さと横延在部４１，５１の長さとの比率と等しくされていることが好ましい。比率が等しいとは、比率が厳密に等しいことのみならず、比率が実質的に等しいということも含む。
【００２１】
なお、第１及び第２距離Ｌ１，Ｌ２の起点は、幅方向１Ｗに係る底支持部２の中央位置から高さ方向１Ｈに延びる面と、高さ方向１Ｈに係る側支持部３の中央位置から幅方向１Ｗに延びる面とが互いに交わる直線上であって、奥行方向１Ｄに関して各接続部４，５が延在する位置とすることができる。この起点は、各接続部４，５の縦延在部４０，５０の長さの起点とすることができる。
【００２２】
次に、本実施の形態の提げ手付搬送具１の使用方法を説明する。図７は、図１の提げ手付搬送具１の第１使用態様を示す斜視図である。図７に示すように提げ手付搬送具１は、例えば商品等の被搬送物９を搬送するためのものである。
【００２３】
提げ手付搬送具１は、底支持部２と側支持部３との間に被搬送物９の幅中央９ｃを位置させつつ底支持部２の上に被搬送物を乗せるとともに側支持部３を被搬送物９の側方に配置した状態で第１及び第２提げ手６，７を引き上げたとき、被搬送物の９高さ方向が鉛直方向に対して傾斜された状態で底支持部及び側支持部により被搬送物の底面及び側面が支持されるように構成されている。
【００２４】
すなわち、被搬送物９は、底支持部２と側支持部３との間に被搬送物９の幅中央９ｃを位置させつつ底支持部２の上に乗せられる。また、被搬送物９は、被搬送物９の側方に側支持部３が位置するように配置される。このように被搬送物９を配置した状態で図７に示すように第１及び第２提げ手６，７が引き上げられることで、被搬送物９の高さ方向が鉛直方向に対して傾斜された状態で底支持部２及び側支持部３により被搬送物９の底面及び側面が支持されて被搬送物９が提げられる。
【００２５】
本実施の形態の提げ手付搬送具１は、底支持部２、側支持部３、第１接続部４及び第２接続部５が平板状とされているとともに、第１及び第２接続部４，５の縦延在部４０，５０が横延在部４１，５１よりも長くされていることから、縦長の直方体状の被搬送物を搬送するために特に適合されている。しかしながら、提げ手付搬送具１の各部の長さ又は形状を変更することにより、例えば横長の直方体、立方体及び円柱等の他の外形の被搬送物の搬送に提げ手付搬送具１を適合させることも可能である。すなわち、被搬送物９の外形は、縦長の直方体に限定されない。
【００２６】
各提げ手６，７の第１距離Ｌ１と第２距離Ｌ２との比率が各接続部４，５の縦延在部４０，５０の長さと横延在部４１，５１の長さとの比率と等しくされていることで、図７に示すように第１及び第２提げ手６，７を引き上げた際、底支持部２及び側支持部３の両方により被搬送物９の底面及び側面を均等に支持できる。
【００２７】
次に、提げ手付搬送具１の別の使用態様を説明する。図８は図１の提げ手付搬送具１の第２使用態様を示す斜視図であり、図９は図１の提げ手付搬送具１の第３使用態様を示す斜視図である。図７では第１及び第２提げ手６，７をそのまま把持するように示している。しかしながら、図８及び図９に示すように第１及び第２提げ手６，７を互いに係合させた上で第１及び第２提げ手６，７のいずれか一方又は両方を把持してもよい。すなわち、図８に示すように第１及び第２提げ手６，７の一方を他方に交わらせた状態で第１及び第２提げ手６，７の他方を引き上げてもよい。また、図９に示すように、係合部材１０により第１及び第２提げ手６，７を束ねた状態で第１及び第２提げ手６，７のいずれか一方又は両方を引き上げてもよい。係合部材１０としては、紐、輪ゴム、針金又は専用の樹脂成型品等を使用できる。
【００２８】
このような提げ手付搬送具１では、底支持部２、側支持部３並びに第１及び第２接続部４，５の縁で囲まれる領域に開口８が形成されているので、被搬送物９を搬送しているときに被搬送物９の外観意匠が外に表れて、被搬送物の外観意匠を有効に利用できる。換言すると、提げ手付搬送具１では、従来構成のように袋状の部材に被搬送物を収めるのではなく、底支持部２及び側支持部３により被搬送物９の底面及び側面を支持することにより被搬送物９を提げるようにしている。これにより、被搬送物９の支持に寄与しない箇所に大きな開口を形成でき、被搬送物９の外観意匠を有効に利用できる。
【００２９】
また、第１及び第２接続部４，５は、高さ方向１Ｈに沿って底支持部２から直線状に延びる縦延在部４０，５０と、幅方向１Ｗに沿って側支持部３から直線状に延びる横延在部４１，５１と、底支持部２の上方かつ側支持部３の側方に位置し、縦延在部４０，５０及び横延在部４１，５１が交わる交差部４２，５２とにより構成されているので、被搬送物９の外観意匠が外に表す開口８をより確実に確保でき、被搬送物９の外観意匠をより確実に有効に利用できる。
【００３０】
交差部４２，５２から第１接続点６１，７１までの距離Ｌ１と交差部４２，５２から第２接続点６２，７２までの距離Ｌ２との比率が、縦延在部４０，５０の長さと横延在部４１，５１の長さとの比率と等しくされているので、第１及び第２提げ手６，７を引き上げた際、底支持部２及び側支持部３の両方により被搬送物９の底面及び側面を均等に支持することができる。
【００３１】
底支持部２、側支持部３、第１接続部４及び第２接続部５は、底支持部２における内面２ｃが側支持部３における外面３ｃとなるように捩じられた環状体からなるので、これら底支持部２、側支持部３、第１接続部４及び第２接続部５を別々の部材として準備して互いに接合する態様と比較して、より容易に提げ手付搬送具１を製造でき、提げ手付搬送具１の製造コストを低減できる。
【００３２】
第１及び第２提げ手６，７が互いに係合されるので、被搬送物９の搬送をより確実に行うことができる。
【００３３】
実施の形態２．
図１０は、本発明の実施の形態２による提げ手付搬送具１を示す斜視図である。本実施の形態２の提げ手付搬送具１は、実施の形態１の提げ手付搬送具１に対向補助部１００が追加されたものである。対向補助部１００は、側支持部３と向かい合うように奥行方向１Ｄに延在されるとともに、第１及び第２接続部４，５間に接続された帯状体である。この対向補助部１００は、高さ方向１Ｈに関して側支持部３と同じ位置に配置されていることが好ましいが、高さ方向１Ｈに関する側支持部３の位置からずれて配置されていてもよい。その他の構成は、実施の形態１と同じである。
【００３４】
このような提げ手付搬送具１では、側支持部３と向かい合うように奥行方向１Ｄに延在された対向補助部１００が第１及び第２接続部４，５間に接続されているので、被搬送物９を搬送する際に幅方向１Ｗに関して被搬送物９が側支持部３から離れる方向に変位することを対向補助部１００により規制することができる。これにより、被搬送物９をより確実に搬送することができる。
【００３５】
実施の形態３．
図１１は、本発明の実施の形態３による提げ手付搬送具１を示す斜視図である。本実施の形態３の提げ手付搬送具１は、実施の形態１の提げ手付搬送具１に下部補助部１１０が追加されたものである。下部補助部１１０は、側支持部３の下方で奥行方向１Ｄに延在されるとともに、第１及び第２接続部４，５間に接続された帯状体である。下部補助部１１０は、第１補助接続部１１１及び第２補助接続部１１２により第１及び第２接続部４，５間に接続されている。第１補助接続部１１１及び第２補助接続部１１２は、下部補助部１１０から幅方向１Ｗに直線状に延びる帯状体である。その他の構成は、実施の形態１と同じである。
【００３６】
このような提げ手付搬送具１では、側支持部３の下方で奥行方向１Ｄに延在された下部補助部１１０が第１及び第２接続部４，５間に接続されているので、被搬送物９を搬送する際に幅方向１Ｗに関して被搬送物９の下部が底支持部２から離れる方向に変位することを下部補助部１１０により規制することができる。これにより、被搬送物９をより確実に搬送することができる。
【００３７】
なお、実施の形態３では、実施の形態１の提げ手付搬送具１に下部補助部１１０のみが追加されるように説明したが、実施の形態２で説明した対向補助部１００と実施の形態３で説明した下部補助部１１０の両方が実施の形態１の提げ手付搬送具１に追加されてもよい。
【００３８】
また、実施の形態１〜３では、底支持部２、側支持部３、第１接続部４、第２接続部５、対向補助部１００及び下部補助部１１０が帯状体であるように説明したが、これら底支持部、側支持部、第１接続部、第２接続部、対向補助部及び下部補助部は実質的な幅を有しない紐状体であってもよい。
【００３９】
また、実施の形態１〜３では、底支持部２、側支持部３、第１接続部４及び第２接続部５が底支持部２における内面２ｃが側支持部３における外面３ｃとなるように捩じられた環状体により構成されているように説明したが、提げ手付搬送具の各部が別々の部材として準備されて互いに接合されてもよい。
【００４０】
さらに、実施の形態１〜３では、第１及び第２接続部４，５が全体としてＬ字状の外形を有するように構成されているように説明したが、第１及び第２接続部は底支持部２と側支持部とを接続する例えば階段状又は円弧状等の他の外形を有していてもよい。
【００４１】
さらにまた、実施の形態１〜３では、第１及び第２接続部４，５に第１及び第２提げ手６，７がそれぞれ接続されているように説明したが、１つの提げ手が第１及び第２接続部をまたがるように第１及び第２接続部に接続されていてもよい。
【００４２】
また、実施の形態１〜３では、各提げ手６，７の第１距離Ｌ１と第２距離Ｌ２との比率が各接続部４，５の縦延在部４０，５０の長さと横延在部４１，５１の長さとの比率と等しくするように説明したが、これらの比率は必ずしも等しくされていなくてもよい。想定される被搬送物の重量分布に偏りがある場合、底支持部及び側支持部により被搬送物の底面及び側面を均等に支持できるように上記の比率を調整することができる。
【符号の説明】
【００４３】
１          提げ手付搬送具
２          底支持部
３          側支持部
４          第１接続部
５          第２接続部
６          第１提げ手
７          第２提げ手
８          開口
９          被搬送物
４０，５０  縦延在部
４１，５１  横延在部
４２，５２  交差部
６１，７１  第１接続点
６２，７２  第２接続点
１００      対向補助部
１１０      下部補助部
【図１】
2019069806.tif 000003
【図２】
2019069806.tif 000004
【図３】
2019069806.tif 000005
【図４】
2019069806.tif 000006
【図５】
2019069806.tif 000007
【図６】
2019069806.tif 000008
【図７】
2019069806.tif 000009
【図８】
2019069806.tif 000010
【図９】
2019069806.tif 000011
【図１０】
2019069806.tif 000012
【図１１】
2019069806.tif 000013